(57)【要約】【課題】  低コストで高輝度化を達成できる面状照明装置を提供する。【解決手段】  面状照明装置１は、前方に向かって光を出射する発光面を有するＬＥＤ２，３と、ＬＥＤ２，３が実装されるＦＰＣ４と、ＬＥＤ２，３が配置される入光面１１及び入光面１１から入光した光を面状に出射する出射面１２を有する導光板１０と、を備え、ＦＰＣ４が、ＬＥＤ２，３の一対の電極を電気的に接続する一対のランド部４１、４２、４３、４４と、一対のランド部間の前後方向に延びる領域の少なくとも一部に配置される光反射部５１、５２と、を有し、光反射部５１、５２が、ＦＰＣ４を構成する導体の一部として形成されている。【選択図】図１
2015162328.tif 000002
【特許請求の範囲】
【請求項１】
前方に向かって光を出射する発光面を有する点状光源と、前記点状光源が実装される回路基板と、前記点状光源が配置される入光面及び該入光面から入光した光を面状に出射する出射面を有する導光板と、を備える面状照明装置であって、
前記回路基板が、前記点状光源の一対の電極を電気的に接続する一対のランド部と、前記一対のランド部間の前後方向に延びる領域の少なくとも一部に配置される光反射部と、を有し、
前記光反射部が、前記回路基板を構成する導体の一部として形成されていることを特徴とする面状照明装置。
【請求項２】
前記光反射部は、前記点状光源が有する発光素子から前記導光板の入光面にかけて形成さていることを特徴とする請求項１に記載の面状照明装置。
【請求項３】
前記光反射部は、前記一対のランド部の一方に接続されていることを特徴とする請求項１または２に記載の面状照明装置。
【請求項４】
前記光反射部は、前方端側において、隣接する前記光反射部と互いに接続されていることを特徴とする請求項１または２に記載の面状照明装置。
【請求項５】
前記光反射部は、前方中央部に切り欠きが設けられていることを特徴とする請求項１から４のいずれか１項に記載の面状照明装置。
【請求項６】
前記光反射部は、前記発光素子を起点として前方に向かって拡開する拡開部を有することを特徴とする請求項１から５のいずれか１項に記載の面状照明装置。
【請求項７】
前記光反射部は、表面に光の反射率が大きい膜が設けられていることを特徴とする請求項１から６のいずれか１項に記載の面状照明装置。
【発明の詳細な説明】
【技術分野】
【０００１】
本発明は、面状照明装置に関する。
【背景技術】
【０００２】
従来、発光ダイオード（ＬＥＤ：Light Emitting Diode）を実装するフレキシブルプリント回路基板（ＦＰＣ：Flexible Printed Circuits）のカバーレイに白色カバーレイフィルムを使用したサイドライト方式の面状照明装置（バックライト）が提案されている（特許文献１参照）。
【０００３】
この白色カバーレイフィルムは、フィルム基材の全面に白色反射層を形成したもので、保護部材として機能するとともに光反射部材としても機能している。このため、ＬＥＤの発光面と導光板の入光面との間に隙間が介在する場合であっても、その隙間がＦＰＣの白色カバーレイフィルムで覆われることによって、その隙間から外部に漏れる光が低減する。また、その隙間に入射した光は、導光板の入光面に向かって反射するので、照明光の輝度が向上する。また、ＬＥＤの下面（実装面）からＦＰＣ側に漏れた光の一部も、導光板の入光面に向かって反射するので、照明光の輝度が更に向上する。
【先行技術文献】
【特許文献】
【０００４】
【特許文献１】特開２０１３−１３１４４４号公報
【発明の概要】
【発明が解決しようとする課題】
【０００５】
しかしながら、このようにＦＰＣを構成した場合、カバーレイに白色反射層を形成する工程が必要になること、および、カバーレイの全面に白色反射層を形成する必要があることから、低コスト化が困難になる。また、良好な反射率を得るには、所定値以上の厚みの白色反射層が必要であることから、面状照明装置の更なる薄型化が困難になる。
【０００６】
本発明はこのような問題に鑑みて行われたものであり、低コストで高輝度化を達成できる面状照明装置を提供することを目的とする。
【課題を解決するための手段】
【０００７】
上記課題を解決するために、（１）本発明は、前方に向かって光を出射する発光面を有する点状光源と、前記点状光源が実装される回路基板と、前記点状光源が配置される入光面及び該入光面から入光した光を面状に出射する出射面を有する導光板と、を備える面状照明装置であって、前記回路基板が、前記点状光源の一対の電極を電気的に接続する一対のランド部と、前記一対のランド部間の前後方向に延びる領域の少なくとも一部に配置される光反射部と、を有し、前記光反射部が、前記回路基板を構成する導体の一部として形成されている面状照明装置を提供する。
【０００８】
（２）前記光反射部は、前記点状光源が有する発光素子から前記導光板の入光面にかけて形成さている（１）に記載の面状照明装置を提供する。
（３）前記光反射部は、前記一対のランド部の一方に接続されている（１）または（２）に記載の面状照明装置を提供する。
（４）前記光反射部は、前方端側において、隣接する前記光反射部と互いに接続されている（１）または（２）に記載の面状照明装置を提供する。
【０００９】
（５）前記光反射部は、前方中央部に切り欠きが設けられている（１）から（４）のいずれか１に記載の面状照明装置を提供する。
（６）前記光反射部は、前記発光素子を起点として前方に向かって拡開する拡開部を有する（１）から（５）のいずれか１に記載の面状照明装置を提供する。
（７）前記光反射部は、表面に光の反射率が大きい膜が設けられている（１）から（６）のいずれか１に記載の面状照明装置を提供する。
【発明の効果】
【００１０】
本発明によれば、低コストで高輝度化を達成できる面状照明装置を提供することができる。
【図面の簡単な説明】
【００１１】
【図１】（ａ）は、本発明の実施形態に係る面状照明装置の平面図、（ｂ）は側面図である。
【図２】（ａ）は、本発明の実施形態に係るＦＰＣのＬＥＤ実装図、（ｂ）はＦＰＣの外観図、（ｃ）はＦＰＣの配線図である。
【図３】本発明の実施形態に係る面状照明装置の部分拡大透視平面図である。
【図４】（ａ）はアノードもしくはカソードのパッド部を拡張し、反射面として利用する場合の例、（ｂ）は、ＬＥＤ直近だけではなく、ＬＥＤ発光方向の広域を反射面として利用する場合の例である。
【図５】（ａ）は、光反射部９１の前方中央部に切り欠き９２を形成した場合の例、（ｂ）（ｃ）は、光反射部に拡散部を設けた場合の例である。
【発明を実施するための形態】
【００１２】
以下、添付図面を参照して、本発明を実施するための形態（以下、実施形態）について詳細に説明する。なお、実施形態の説明の全体を通して同じ要素には同じ番号を付している。
【００１３】
図１（ａ）は、本発明の実施形態に係る面状照明装置の平面図、（ｂ）は側面図である。
図１に示すように、本発明の実施形態に係る面状照明装置１は、前方に向かって光を出射する発光面を有するＬＥＤ（点状光源）２、３と、ＬＥＤ２、３が実装されるＦＰＣ（回路基板）４と、ＬＥＤ２、３が配置される入光面（側端面）１１及び入光面１１から入光した光を面状に出射する出射面１２を有する導光板１０と、を備える。
この導光板１０は、矩形平板状に形成され、ＦＰＣ４の先端（前方）側が主面（図示の例では、面状の光を出射させる出射面１２に対向する裏面１３）の入光面１１寄りの領域に配置されている。
【００１４】
図２（ａ）は、本発明の実施形態に係るＦＰＣのＬＥＤ実装図、（ｂ）はＦＰＣの外観図、（ｃ）はＦＰＣの配線図である。
（ＦＰＣ）
ＦＰＣ４は、いわゆる片面ＦＰＣであり、積層方向の構成は、ベースフィルム／導通パターン／カバーレイフィルムである。ＦＰＣ４のＬＥＤ２、３が実装される実装面には、ＬＥＤ２、３の一対の電極を電気的に接続する一対のランド部（パッド部）４１、４２、４３、４４が設けられている。一対のランド部の構成には、例えば特開２００６−２１６４９４号公報に開示された構成が採用されている。ランド部４１には導体パターン６１が接続され、ランド部４２、４３には導体パターン６２が接続され、ランド部４４には導体パターン６３が接続されている。
ＦＰＣ４の実装面には、一対のランド部４１、４２、４３、４４とともに、一対のランド部間の前後方向に延びる領域の少なくとも一部に配置される光反射部５１、５２が設けられている。光反射部５１、５２は、一対のランド部４１、４２、４３、４４間の前後方向に延びるスペースに、ＦＰＣ４を構成する導通パターンの一部として（ベースフィルム上の導体を用いて）、平面視矩形状に形成されている。
【００１５】
カバーレイフィルムに光反射部５１、５２と略同形状の開口を形成することにより、光反射部を露出させている。この構成により、ＬＥＤ２、３の発光面から出射された光またはＬＥＤ（パッケージ）から漏れた光が、光反射部５１、５２に直接入射することになり、それらの光を効率的に反射させることができる。
また、光反射部５１、５２は、表面に光の反射率が大きい金属膜が設けられている。この金属膜は、例えば、スズめっき等で形成され、導通パターンに銅箔の表面に形成されているのが好ましい。
【００１６】
図３は、本発明の実施形態に係る面状照明装置の部分拡大透視平面図である。
図３を用いて、ＬＥＤ（破線部）２および導光板１０の入光面（２点短鎖線部）１１に対する光反射部（４５°ハッチング部）５１の、前後方向（ＬＥＤ２の光軸方向）の位置関係を説明する。光反射部５１は、ＬＥＤ２が有するＬＥＤチップ（発光素子）２２から導光板１０の入光面１１にかけて形成されている。まず、光反射部５１は、その前方端辺５１ａが、導光板１０の入光面１１の近傍（図示の例では、入光面１１よりもわずかに導光板１０側）に位置している。これにより、ＬＥＤ２の発光面２５と導光板１０の入光面１１の間に形成される隙間の（前後方向と直交する方向の）中央部が、光反射部５１で覆われることになる。また、光反射部５１は、その後方端辺５１ｂが、ＬＥＤ２の背面２３近傍に位置している。これにより、ＬＥＤ２を構成するＬＥＤチップ２２の下部（紙面の奥側）に光反射部５１が配置されることになる。
【００１７】
ところで、一般的なＬＥＤでは、ＬＥＤチップが白色樹脂を用いて成形されたパッケージにより囲繞されているが、近時のパッケージの薄肉化に伴いＬＥＤチップ付近のパッケージから漏れる光の量が多くなる傾向にある。したがって、ＬＥＤチップ２２の下部にも光反射部５１を配置することにより、光反射部５１の光反射機能が効果的に発揮されることになる。なお、ＬＥＤチップ２２は、パッケージ２１の中央部の発光面側から背面側に向かって形成された凹部２４の底面に配置され、樹脂で封止されている。
【００１８】
次に変形例について説明する。図４（ａ）はアノードもしくはカソードのパッド部を拡張し、反射面として利用する場合の例、（ｂ）は、ＬＥＤ直近だけではなく、ＬＥＤ発光方向の広域を反射面として利用する場合の例である。参照符号６４、７４はＦＰＣを示す。
上記実施形態では、光反射部５１、５２の各々は、他の導通パターンと独立して形成されているが、図４（ａ）に示すように、アノードもしくはカソードのパッド部４１、４４を反射面として拡張する拡張部６１ａ、６２ａを形成し、光反射部７１、７２を一対のランド部の一方のランド部４１、４４に接続するようにしてもよい。
【００１９】
図４（ｂ）に示すように、ＬＥＤ直近だけではなく、ＬＥＤ発光方向の広域を反射面として利用するために、光反射部８３は、前方端側において、隣接する光反射部８１、８２が互いに接続するようにしてもよい。これらの構成により、光反射部７１、７２、８３（８１、８２）の作製が容易になるとともに、光反射部７１、７２、８３の剥離強度の向上が期待できる。また、金属で構成された光反射部７１、７２、８３を、ＬＥＤ２、３から発生する熱の放熱経路として有効活用できる。
【００２０】
光反射部は、上記実施形態では、ＬＥＤの発光面を基準として、前後方向に延びるように形成されているが、一方側の一部のみに形成されていてもよい。この場合であっても、一定の効果が期待できる。光反射部は、上記実施形態では、矩形状に形成されているが、本発明はこれに限らず、他の形状であってもよい。光反射部は、ランド部を含む他の導通パターンと同一の工程によって任意の形状に形成することができる。新たな工程を設けることなく、すなわち、コストの上昇を伴うことなく形成することができる。
【００２１】
図５（ａ）は、光反射部９１の前方中央部に切り欠き９２を形成した場合の例である。
図５（ａ）に示すように、光反射部９１の前方中央部に、ＬＥＤチップ２２の光軸（中心）に沿って、切り欠き９２を形成してもよい。このように切り欠き９２を形成することにより、ＬＥＤ２の前方に発生し易い輝点（いわゆるホットスポット）の軽減が期待できる。また、切り欠き９２を形成することにより、以下の理由により、ＬＥＤ２から出射した光の配光色度差の軽減が期待できる。
【００２２】
白色光を発光する白色ＬＥＤとして、青色ＬＥＤチップと黄色蛍光体を含む、いわゆる疑似白色ＬＥＤを使用した場合、ＬＥＤから光軸方向に出射する光は青みを帯びる傾向にあり、光軸方向に対して角度を有して（斜めに）出射する光は黄色味を帯びる傾向にある（特開平１０−１０７３２５号公報参照）。このような色むら（配光色度分布）を有するＬＥＤからの出射光に対して、光反射部９１に切り欠き９２を設けた場合には、光軸方向に出射した青みを帯びた光は、ＦＰＣのベースフィルム（通常、黄色のポリイミド樹脂）に入射するので、黄色の成分が補われた光となって反射することになる。これにより、ＬＥＤから出射した光の配光色度差が低減され、その光を導光板に入射させることができる。この結果、色度の均一性にすぐれた照明光を、導光板の出射面から出射させることができる。
【００２３】
図５（ｂ）（ｃ）は、光反射部に拡開部を設けた場合の例である。光反射部１０１，１１１は、ＬＥＤ２を起点として前方に向かって拡開する拡開部１０２、１１２を有する。この拡開部１０２、１１２は、ＬＥＤ２の下部側において、後方（ＬＥＤチップ２２側）から前方に向かうほど幅が広くなるように構成されている。この構成により、ＬＥＤチップ２２を中心としてＬＥＤパッケージ２１から漏れた光を少ない面積で効率的に反射させるとともに、光反射部１０１、１１１とランド部の間隔を広くすることができ、導通パターン（反射部およびランド部）の作製が容易になることが期待できる。
【００２４】
本実施形態の回路基板は、上記実施形態では、片面ＦＰＣであるが、本発明はこれに限らず、例えば、ベースフィルムの両面に導通パターンが形成された両面ＦＰＣ（多層基板）にも適用できる。
ＬＥＤ２、３は、上記実施形態では、パッケージを備えているが、本発明はこれに限らず、パッケージを備えない構成（ＬＥＤチップが樹脂で封止された構成）のものであってもよい。この場合には、光反射部の光反射機能が、より一層有効に発揮される。
【００２５】
本実施形態によれば、ＬＥＤを実装するＦＰＣの導体（導通パターン）の一部を、光反射部として利用することで、ＦＰＣの導体は、面状照明装置を構成する上で必須の部材であることから、導体を光反射部として利用することにより、コストを上昇させることなく高輝度化を達成することができる。
【００２６】
以上、実施形態を用いて本発明を説明したが、本発明の技術的範囲は上記実施形態に記載の範囲には限定されないことは言うまでもない。上記実施形態に、多様な変更または改良を加えることが可能であることが当業者に明らかである。また、その様な変更または改良を加えた形態も本発明の技術的範囲に含まれ得ることが、特許請求の範囲の記載から明らかである。
【符号の説明】
【００２７】
１  面状照明装置
２、３  ＬＥＤ
４  ＦＰＣ
１０  導光板
１１  入光面
１２  出射面
４１、４２、４３、４４  ランド部
５１、５２、７１、７２、８３、９１、１０１、１１１  光反射部    
９２  切り欠き
【図１】
2015162328.tif 000003
【図２】
2015162328.tif 000004
【図３】
2015162328.tif 000005
【図４】
2015162328.tif 000006
【図５】
2015162328.tif 000007